(57)【要約】      （修正有）【課題】装着性や機動性やファッション性に優れ、日焼け防止、吸汗、防寒、更には作業性を改善する等、多用途に効果を発揮する日除け用庇付頭巾を提供する。【解決手段】タオル地や綿布等の織布で形成され、頭部へ沿うように椀状に被せる被冠部１ａと、被冠部１ａを頭部へ被せた場合に後頭部から襟首に至る後垂れ布部１ｃと、左右両端を頭部外周にそれぞれ巻き付けて後頭部で固着、又は、顎下部で固着する帯状の固着部材１ｂ、１ｂ’を一体形成し、且つ、被冠部１ａの前方額部に汗を吸い取る吸汗布１ｄを縫着し、且つ、被冠部前方中央部に日除け用庇１ｅを縫着して設ける。【選択図】図１
0003188737.tif 000002
【実用新案登録請求の範囲】
【請求項１】
野外活動時に頭部に着用して多用途に使用可能な垂れ布付頭巾において、該頭巾（１）はタオル地や綿布等の織布により形成され、頭部へ沿うように椀状に被せる被冠部（１ａ）と、該被冠部（１ａ）を頭部へ被せた場合に少なくとも後頭部から襟首に至る後垂れ布部（１ｃ）と、左右両端を頭部外周にそれぞれ巻き付けて後頭部で固着、又は、顎下部で固着する帯状の固着部材（１ｂ）（１ｂ'）を一体形成し、且つ、該被冠部（１ａ）の前方額部に汗を吸い取る吸汗布（１ｄ）を縫着し、且つ、該被冠部前方中央部に日除け用庇（１ｅ）をそれぞれ縫着して設けたことを特徴とする日除け用庇付頭巾。
【考案の詳細な説明】
【技術分野】
【０００１】
この考案は、野外活動時に頭部に着用して多用途に使用可能な日除け用庇付頭巾に関するものである。
【背景技術】
【０００２】
従来、野外活動用としての被り物は、帽子の他に手拭いやタオル等を首部に巻いて使用し、又、帽子の上から手拭いやタオル等で、頬かむり状に顔や頭部や首部を覆って日除けや防塵対策を行っていた。しかし、襟首等の首周りの遮光、防塵、通気、機動性等の機能は低く、日焼けや塵埃等の付着が多く、快適とは言えず、野外活動用には適さなかった。
【０００３】
又、先に出願され公知に成っている作業ヘルメット用の中帽子体が存在するが、上記と同様に首周りの遮光、防塵、通気性、機動性に関して垂れ部が帽子部と一体化されて縫製されている事で、首部全体への遮光、垂れ部の動きに問題がある。特に、手拭やタオル等の定形物を流用することでの装着の不便性、不確実性が工事現場等に於いては作業時の安全性面からも問題があり、又、垂れ部を設けた中帽子体も、襟部及び垂れ部が帽子部と一体に縫製されている事で、中帽子体の後部縫合部から下向きに両側垂れ部が延長された状態で縫い合わされている為、頭部の移動に対する動きの追従と形状変化に問題が有った
（特許文献１参照）。
【特許文献１】特開平１１−１７２５１６
【０００４】
上記問題を解決する為に考案され、先に出願されたのが多目的日焼け防止用垂れ布付頭巾（実願２００８−００８３５７）である。
【０００５】
しかし、上記多目的日焼け防止用垂れ布付頭巾にも新たな問題が発生した。それは、庇が付いてない為、日差しの強い日中には、眩しくて作業性に課題があった。
【０００６】
そこで、更に上記問題を解決する為に、先に出願した頭巾の被冠部前方中央部に日除け用の庇を新たに設けて作業性を改善するものである。
【考案の開示】
【考案が解決しようとする課題】
【０００７】
そこで、上記課題を解決する為に、この考案は頭部へ被せる略椀状の被冠部と、該被冠部を頭部へ被せた場合に少なくとも後頭部から襟首に至る後垂れ布部と、左右両端を頭部外周にそれぞれ巻き付けて後頭部で固定する帯状の固着部材を一体形成し、且つ、該被冠部前方中央部に日除け用庇をそれぞれ縫着して設けた事で、装着性や機動性やファッション性に優れ、日焼け防止、防塵、通気性、吸汗、防寒、更には庇を新設する事で作業性を改善する等、多用途に効果を発揮する日除け用庇付頭巾を開発・提供する事にある。
【課題を解決するための手段】
【０００８】
この課題を解決するための手段として、タオル地や綿布等の織布により形成され、頭部へ沿うように椀状に被せる被冠部と、該被冠部を頭部へ被せた場合に少なくとも後頭部から襟首に至る後垂れ布部と、左右両端を頭部外周にそれぞれ巻き付けて後頭部で固着、又は、顎下部で固着する帯状の固着部材を一体形成し、且つ、該被冠部の前方額部に汗を吸い取る吸汗布を縫着し、且つ、該被冠部前方中央部に日除け用庇をそれぞれ縫着して設けたものである。
【考案の効果】
【０００９】
この考案の効果として、タオル地や綿布等の織布により形成され、頭部へ沿うように椀状に被せる被冠部と、該被冠部を頭部へ被せた場合に少なくとも後頭部から襟首に至る後垂れ布部と、左右両端を頭部外周にそれぞれ巻き付けて後頭部で固着、又は、顎下部で固着する帯状の固着部材を一体形成し、且つ、該被冠部の前方額部に汗を吸い取る吸汗布を縫着し、且つ、該被冠部前方中央部に日除け用庇をそれぞれ縫着して設けた事で、日焼け防止、防塵、通気性、吸汗、防寒に優れ、更に日差しに強く、視界性、作業性に優れる等、多用途に効果を発揮する等、極めて有益なる効果を奏するものである。
【図面の簡単な説明】
【００１０】
【図１】この考案の一実施例を示し、括り結合型庇付頭巾の裏面側展開図である。
【図２】この考案の使用例を示し、括り結合型庇付頭巾着用時の斜視図である。
【図３】この考案のその他実施例を示し、面ファスナー結合型庇付頭巾の裏面側展開図である。
【図４】この考案のその他実施例の使用例を示し、面ファスナー結合型庇付頭巾着用時の斜視図である。
【考案を実施するための形態】
【００１１】
この考案を実施するための形態として、装着性や吸汗性やファッション性や機動性や作業性や経済性等を考慮して、簡単、且つ、安価に入手可能なタオル地や綿布等の織布を使用し、且つ、誰もが容易に大量生産可能な簡単形状に形成する事が重要となる。
【実施例１】
【００１２】
そこで、この考案の一実施例を図１に基づいて詳述すると、野外活動時に頭部に着用して多用途に使用可能な垂れ布付頭巾において、該括り結合型頭巾（１）はタオル地や綿布等の織布により形成され、頭部へ沿うように椀状に被せる被冠部（１ａ）と、該被冠部（１ａ）を頭部へ被せた場合に少なくとも後頭部から襟首に至る後垂れ布部（１ｃ）と、左右両端を頭部外周にそれぞれ巻き付けて後頭部で固着帯状の固着部材（１ｂ）（１ｂ'）を一体形成し、且つ、該被冠部（１ａ）の前方額部に汗を吸い取る吸汗布（１ｄ）を縫着し、且つ、且つ、該被冠部前方中央部に日除け用庇（１ｅ）を、縫着して設けたことを特徴とする日除け用庇付頭巾から構成される。
【００１３】
次に、この考案の寸法形状を詳述すると、括り結合型頭巾（１）は、帯状の固着部材（１ｂ）（１ｂ'）の左右両端部を括って結合固着可能にする為、所定幅（Ｗ１）が約９００ｍｍ×所定長さ（Ｌ１）が約６００ｍｍを有する略Ｔ字状に形成し、且つ、裾側に向けて略扇状に幅広に形成し、裾部を略Ｖ字状に形成した後垂れ布部（１ｃ）を設け、且つ、中央上端部に額部に汗を吸い取る為の幅約４０ｍｍ×長さ約２９０ｍｍの帯状吸汗布（１ｄ）を縫着し、且つ、該冠部上方中央部に半円状の日除け用庇（１ｅ）を縫着して設けたものである。
【００１４】
又、使用方法については、図２に示す様に庇部が前方になる様に向きを調整し、頭巾本体の被冠部（１ａ）を頭部の中心に合わせ、且つ、帯状吸汗部（１ｄ）が額の中心に成る様に宛がいながら、帯状の固着部材（１ｂ）（１ｂ'）を後頭部で括って係止するか、或いは、顎下部で括って係止しても構わない。
【実施例２】
【００１５】
その他の実施例として、図３に示す様に、面ファスナー結合型頭巾（２）は、タオル地や綿布等の織布により形成され、頭部へ沿うように椀状に被せる被冠部（２ａ）と、該被冠部（２ａ）を頭部へ被せた場合に少なくとも後頭部から襟部に至る後垂れ布部（２ｃ）と、左右両端を頭部外周にそれぞれ巻き付けて後頭部で固着、又は、顎下部で面ファスナー（２ｆ）（２ｆ'）でそれぞれ固着する帯状の固着部材（２ｂ）（２ｂ'）を一体形成し、且つ、該被冠部（１ａ）の前方額部に汗を吸い取る吸汗布（１ｄ）を縫着し、且つ、該被冠部前方中央部に日除け用庇（１ｅ）を、縫着して設けたことを特徴とする日除け用庇付頭巾から構成される。
【００１６】
そして、頭巾本体は所定幅（Ｗ２）が約６３０ｍｍと所定長さ（Ｌ２）が約６００ｍｍを有する略Ｔ字状に形成し、且つ、裾側に向けて略扇状に幅広に形成し、裾部を略Ｖ字状に形成した後垂れ布（２ｃ）を設け、且つ、中央上端部に額部の汗を吸い取る為の幅約４０ｍｍ×長さ約２９０ｍｍの帯状吸汗布（２ｄ）を縫着し、且つ、左固着部材（２ｂ）の表面部及び右固着部材（２ｂ'）の裏面部に面ファスナー等の係止部材（２ｆ）（２ｆ'）をそれぞれ縫着して設け、且つ、該冠部上方中央部に半円状の日除け用庇（２ｅ）を、縫着して設けたものである。尚、上記係止部材（２ｆ）（２ｆ'）の寸法形状については、目的・用途に応じて適宜変更しても構わない。
【００１７】
又、使用方法については、図４に示すように実施例１と同様に庇部（２ｅ）が前方になる様に向きを調整し、頭巾本体の被冠部（１ａ）を頭部の中心に合わせ、且つ、帯状吸汗部（１ｄ）が額の中心に成る様に宛がいながら、帯状の固着部材（２ｂ）（２ｂ'）を後頭部で、面ファスナー（２ｆ）（２ｆ'）等の係止部材を使用して係止するか、或いは、顎下部で係止しても構わない。
【産業上の利用可能性】
【００１８】
この考案の日除け用庇付頭巾は、タオル地や綿布等の織布により形成され、頭部へ沿うように椀状に被せる被冠部と、該被冠部を頭部へ被せた場合に少なくとも後頭部から襟首に至る後垂れ布部と、左右両端を頭部外周にそれぞれ巻き付けて後頭部で固着、又は、顎下部で固着する帯状の固着部材を一体形成し、且つ、該被冠部の前方額部に汗を吸い取る吸汗布を縫着し、且つ、該被冠部前方中央部に日除け用庇をそれぞれ縫着して設けた事で、日焼け防止、防塵、通気性、吸汗、防寒に優れ、更に日差しに強く、視界性、作業性に優れる等、多用途に効果を発揮する為、多くの頭巾を使用する関係市場に寄与する点で産業上の利用可能性を有する。
【符号の説明】
【００１９】
１  括り結合型頭巾
１ａ  被冠部
１ｂ  固着部材
１ｂ'  固着部材
１ｃ  後垂れ布部
１ｄ  吸汗布
１ｅ  日除け用庇
２  面ファスナー結合型頭巾
２ａ  被冠部
２ｂ  固着部材
２ｂ'  固着部材
２ｃ  後垂れ布部
２ｄ  吸汗布
２ｅ  日除け用庇
２ｆ  面ファスナー等の係止部材
２ｆ'  面ファスナー等の係止部材
【図１】
0003188737.tif 000003
【図２】
0003188737.tif 000004
【図３】
0003188737.tif 000005
【図４】
0003188737.tif 000006